(57)【要約】      （修正有）【課題】廃棄物の有効利用およびコスト低減の可能な、主として植物資源等の利用度の低い原料を用いた燃料製造システムをを提供する。【解決手段】油ちょう処理済燃料製造システム６０は、間伐材等の燃焼対象物を油ちょう処理するための油ちょう処理部２０と、油ちょう処理部２０に熱を供給するための廃棄物燃料燃焼部４０とを備えて構成される。油ちょう処理部２０においては特に、処理用の油として廃油を用いることができる。たとえば油ちょう処理部２０として適宜仕様のフライヤーを、また廃棄物燃料燃焼部４０として廃タイヤボイラーを用いることによって、容易に本考案の油ちょう処理済み燃料製造システム６０を構成することができる。【選択図】図２
0003160673.tif 000002
【実用新案登録請求の範囲】
【請求項１】
燃焼対象物を油で揚げるすなわち油ちょう処理してなる、油ちょう処理済燃料。
【請求項２】
前記燃焼対象物が木材であること特徴とする、請求項１に記載の油ちょう処理済燃料。
【請求項３】
油ちょう処理されることにより、前記燃焼対象物の乾燥処理がなされているとともに、該燃焼対象物中に油が含浸されていることを特徴とする、請求項１または２に記載の油ちょう処理済燃料。
【請求項４】
前記燃焼対象物が間伐材またはその他の生木であることを特徴とする、請求項１ないし３のいずれかに記載の油ちょう処理済燃料。
【請求項５】
前記燃焼対象物が乾燥処理済み木材であることを特徴とする、請求項１ないし３のいずれかに記載の油ちょう処理済燃料。
【請求項６】
前記油ちょう処理は、調理・食品加工におけるてんぷら処理と同程度以上の条件でなされることを特徴とする、請求項１ないし５のいずれかに記載の油ちょう処理済燃料。
【請求項７】
前記油ちょう処理には廃油が用いられることを特徴とする、請求項１ないし６のいずれかに記載の油ちょう処理済燃料。
【請求項８】
前記油ちょう処理には廃棄物焼却による燃焼熱が熱源として用いられることを特徴とする、請求項１ないし７のいずれかに記載の油ちょう処理済燃料。
【請求項９】
廃油によって燃焼対象物を油ちょう処理するための油ちょう処理部と、該油ちょう処理部へ熱を供給するための廃棄物燃料燃焼部とからなることを特徴とする、油ちょう処理済燃料製造システム。
【考案の詳細な説明】
【技術分野】
【０００１】
本考案は油ちょう処理済燃料およびその製造システムに係り、特に、廃棄物の有効利用およびコスト低減の可能な、油ちょう処理済燃料およびその製造システムに関するものである。
【背景技術】
【０００２】
廃タイヤや木質ペレットなど、廃棄物自体あるいは廃棄物を利用して製造した燃料については、これまで多くの技術的提案や実用化の検討がなされてきている。間伐材や廃木材といった未利用の、または低利用度の植物資源についても技術的提案がなされている。
【０００３】
たとえば後掲特許文献１開示技術は、廃木材の燃料としての利用において事前粉砕工程を省略し、その工程で必要な設備投資、運転・保守費用を節減することを目的として、廃木材を分別解体された解体木材の形状のまま燃焼炉の炉壁より炉内に挿入して燃焼させる方法を提案するものである。
【先行技術文献】
【特許文献】
【０００４】
【特許文献１】特開２００３−２８４０９号公報「建設発生木材の燃料代替としての利用方法」
【考案の概要】
【考案が解決しようとする課題】
【０００５】
さて、間伐材などを用いる場合、水分を含む生木を燃料とするためには、事前に一定の乾燥処理を施す必要がある。乾燥処理には通常、熱エネルギーが必要であり、乾燥装置やその運転等のコストがかかることは避けられない。生木のような含水性の、しかも廃棄されることの多い植物資源を燃料化する上で、この乾燥処理にかかるコストを低減できれば、資源の有効利用を図ることができるのみならず、地球規模で求められている温室効果ガス削減にも寄与することとなる。
【０００６】
また、生木や植物資源に限らず、燃焼・焼却処理可能な含水性の対象物についても、事前の乾燥処理にかかるコストを削減できることは、これら全般の燃料としての利用性を高めることにもなる。
【０００７】
そこで本考案が解決しようとする課題は、廃棄物の有効利用およびコスト低減の可能な、主として植物資源等の利用度の低い原料を用いた燃料、およびその製造システムを提供することである。
【課題を解決するための手段】
【０００８】
本願考案者は上記課題について検討した結果、燃焼対象物本体たる生木等に、油で揚げる処理（すなわちフライ処理、油蝶（ちょう）処理。）を施すことによって解決できることに想到し、本考案に至った。すなわち、上記課題を解決するための手段として本願で実用新案登録請求される考案、もしくは少なくとも開示される考案は、以下の通りである。
【０００９】
（１）  燃焼対象物を油で揚げるすなわち油ちょう処理してなる、油ちょう処理済燃料。
（２）  前記燃焼対象物が木材であること特徴とする、（１）に記載の油ちょう処理済燃料。
（３）  油ちょう処理されることにより、前記燃焼対象物の乾燥処理がなされているとともに、該燃焼対象物中に油が含浸されていることを特徴とする、（１）または（２）に記載の油ちょう処理済燃料。
【００１０】
（４）  前記燃焼対象物が間伐材またはその他の生木であることを特徴とする、（１）ないし（３）のいずれかに記載の油ちょう処理済燃料。
（５）  前記燃焼対象物が乾燥処理済み木材であることを特徴とする、（１）ないし（３）のいずれかに記載の油ちょう処理済燃料。
（６）  前記油ちょう処理は、調理・食品加工におけるてんぷら処理と同程度以上の条件でなされることを特徴とする（１）ないし（５）のいずれかに記載の油ちょう処理済燃料。
（７）  前記油ちょう処理には廃油が用いられることを特徴とする、（１）ないし（６）のいずれかに記載の油ちょう処理済燃料。
【００１１】
（８）  前記油ちょう処理には廃棄物焼却による燃焼熱が熱源として用いられることを特徴とする、（１）ないし（７）のいずれかに記載の油ちょう処理済燃料。
（９）  廃油によって燃焼対象物を油ちょう処理するための油ちょう処理部と、該油ちょう処理部へ熱を供給するための廃棄物燃料燃焼部とからなることを特徴とする、油ちょう処理済燃料製造システム。
【考案の効果】
【００１２】
本考案の油ちょう処理済燃料およびその製造システムは上述のように構成されるため、これによれば、廃棄物や利用度の低い資源をを有効活用することができ、コスト低減された燃料あるいはコストゼロの燃料を提供することができる。また、原料とする生木等の含水性資源の脱水・乾燥処理が油ちょう処理によってなされるため、従来のような熱風・温風等を用いた乾燥装置が不要であるため、処理時間の短縮化とコスト低減効果を得ることができる。
【００１３】
また、油ちょう処理により、原料とする含水性資源の内部には油分が含浸するため、得られる燃料の燃焼性・燃焼力を高めることができる。
【００１４】
さらに、本考案の油ちょう処理済燃料およびその製造システムにおいては、油ちょう処理に用いる油として廃油を用いること、また油ちょう処理の熱源として廃棄物の燃焼熱を用いること、あるいはその両方を用いることにより、燃料製造コストは一層低減、ないしはコストゼロとすることができる。
【図面の簡単な説明】
【００１５】
【図１】本考案の油ちょう処理済燃料の構成を示す概念図である。
【図２】本考案の油ちょう処理済燃料製造システムの構成を示す概念図である。
【考案を実施するための形態】
【００１６】
以下、図面により本考案を詳細に説明する。
図１は、本考案油ちょう処理済燃料の構成を示す概念図である。図示するように油ちょう処理済み燃料１０は、燃焼対象物１が油ちょう処理されてなるものである。油ちょう処理されることによって、図の（Ｂ）において燃焼対象物１０中に含まれていた水分３が抜けた状態（Ａ）となっている。また、同じく油ちょう処理によって、燃焼対象物１中には油分２が含浸された状態（Ａ）となっている。
【００１７】
かかる構成により本油ちょう処理済み燃料１０は、原料たる燃焼対象物１の乾燥処理がなされ、かつ油分２が含浸した状態であるため、燃料として良好な着火性・燃焼容易性を備え、かつ熱量も高く、強化されたものとして提供される。
【００１８】
特に燃焼対象物１が含水性であったり、またはその中でも含水量が高いものである場合、本考案における油ちょう処理はすなわち脱水・乾燥処理となり、本考案燃料１０に良好な着火性・燃焼容易性を付与する。
【００１９】
燃焼対象物１は、燃焼可能なものであればいかなる物であっても該当する。しかしながら、通常は予備乾燥処理を要するような燃焼対象物を、特に対象とすることもできる。殊に、温室効果ガス削減の観点からは、木材を用いることとすることができる。あるいはまた、それに加えて、廃棄物の有効利用およびコスト低減効果の観点からは、間伐材その他の生木を用いるものとすることができる。
【００２０】
なお燃焼対象物１としては、上述した予備乾燥処理を要するような燃焼対象物のみならず、事前に乾燥処理済みの木材を用いることとしてもよい。木材の形態はいかなるものでもよく、たとえば木材チップももちろん該当する。かかる木材を燃焼対象物１として用いることにより、完成する油ちょう処理済燃料は一層、高熱量となり、これを燃焼させた場合、一層の高カロリー燃焼を得ることができる。
【００２１】
また、油ちょう処理の条件は特に限定されず、適宜の条件でよい。しかしながら、これを特に、調理・食品加工におけるてんぷら処理と同程度以上の条件で行うものとすることができる。たとえば、１６０〜１７０℃の温度で３０秒程度油ちょう処理する等である。
【００２２】
また、油チョウ処理用の油としては、いかなる種類の油類でも用いることができる。しかしながら、特に、廃エンジンオイル、廃食用油など、廃油を用いるものとすることができる。そうすることにより、一層のコスト低減効果が得られるとともに、廃棄物有効利用策ともなる。
【００２３】
また、油ちょう処理には、廃棄物焼却による燃焼熱を熱源として用いることとしてもよい。そうすることにより、一層のコスト低減効果が得られるとともに、廃棄物有効利用策ともなる。たとえば、廃タイヤなどを燃料として用いた廃タイヤボイラーは、かかる効果を得るためには好適である。
【００２４】
図２は、本考案の油ちょう処理済燃料製造システムの構成を示す概念図である。図示するように本油ちょう処理済燃料製造システム６０は、上述した燃焼対象物を油ちょう処理するための油ちょう処理部２０と、油ちょう処理部２０に熱を供給するための廃棄物燃料燃焼部４０とを備えることを、主たる構成とする。油ちょう処理部２０においては特に、処理用の油として廃油を用いることができる。
【００２５】
たとえば、油ちょう処理部２０として適宜仕様のフライヤーを、また廃棄物燃料燃焼部４０として廃タイヤボイラーを用いることによって、容易に本考案の油ちょう処理済み燃料製造システム６０を構成することができる。
【００２６】
かかる構成により、本システム６０においては、廃棄物燃料燃焼部４０において、廃タイヤ等の廃棄物燃料が燃焼されて熱が生産され、油ちょう処理部２０においてこの熱が用いられて燃焼対象物が油ちょう処理され、油ちょう処理済み燃料が製造される。
【産業上の利用可能性】
【００２７】
本考案の油ちょう処理済み燃料製造システムを用いることによって、たとえば乾燥処理がなされていない間伐材のような含水性の燃焼対象物を原料とし、熱源に廃棄物燃焼熱を用い、油ちょう処理には廃油を用いて、極めて低コストないしはコストゼロの燃料製造が可能となる。しかも、温室効果ガス排出削減に資する油ちょう処理済み燃料を得ることもでき、廃棄物の有効な処分策ともなる。したがって本考案は、産業上利用性が極めて高い考案である。
【符号の説明】
【００２８】
１…燃焼対象物
２…油分
３…水分
１０…油ちょう処理済み燃料
２０…油ちょう処理部
４０…廃棄物燃料燃焼部
６０…油ちょう処理済燃料製造システム
【図１】
0003160673.tif 000003
【図２】
0003160673.tif 000004